(57)【要約】【課題】コンピュータを楽器とすることで、音楽の専門知識や演奏技術がなくても好きな曲を自由に演奏したり編曲できる第３の音楽の楽しみ方、新しい音楽文化環境を創造する。【解決手段】１０１で演奏したい曲の楽譜を入手し、１０２でスキャニングを行い１０３の画像データに変換する。１０４で画像データを変換機能を持つソフトウェアを使って変換するが、１０５では誤認識箇所が残るデータにすぎない。標準化したノウハウによって１０６で修正を行う。１０７で修正した音つき楽譜の編曲の有無を選択する。編曲を行わなければ１０８に保存し、行なうときは１０９を経て１０８に保存される。１１０は保存した音つき楽譜を指定に応じて提供を行うもので、１０９を経て１０８に蓄積される。１１１ではＭＩＤＩデータとして再生に耐え得るものかモニタリングする。１１２は完成した音つき楽譜がＭＩＤＩデータに変換し、１１３で楽曲の提供を行う。【選択図】図１
2004133278.tif 000002
【特許請求の範囲】
【請求項１】
印刷されている楽譜をコンピュータで演奏と編曲ができる音つき楽譜に変換し、またそれをもとに生成したＭＩＤＩデータをあわせて蓄積し、提供するビジネスの方法。
【請求項２】
請求項１の音つき楽譜は、印刷された楽譜をコンピュータとスキャナを使って画像ファイルに変換し、その画像ファイルを音つき楽譜に変換する機能を搭載したソフトウェアで音つき楽譜に変換して生成する。
【請求項３】
請求項２のソフトウェアで音つき楽譜に変換を行うが、もとの楽譜に比較して完全な状態で変換がなされず、誤認識箇所が多く残り音楽とよべる状態ではなく単なるデータにすぎないことから、これを音楽となるようにデータを修正するための方法を標準化するとともに、別にＭＩＤＩデータとして再生専用ソフトによる再生に耐え得る編曲の方法を標準化することで、請求項１のビジネスの方法における音つき楽譜を完成する。
【請求項４】
請求項３で完成した音つき楽譜を指定に応じて提供し、提供を受けた人が独自の編曲を加えた音つき楽譜を創作し、それも提供できるビジネスの方法で、音つき楽譜独特の編曲方法の標準化を行っている。
【請求項５】
請求項３と４で完成した音つき楽譜をもとに生成した低容量のＭＩＤＩデータをコンピュータに登録しておき、指定に応じて提供するビジネスの方法。
【発明の詳細な説明】
【０００１】
【発明の属する技術分野】
本発明は、印刷された楽譜を音つき楽譜に変換し、誤認識箇所を修正、およびＭＩＤＩデータに変換することで、それぞれの特徴に応じて楽曲を提供するビジネスの方法に関する。
【０００２】
【従来の技術】
印刷され市販されている楽譜を見ても専門知識と演奏技術がなければ音のついた楽曲とはならず、しかも、両者を持ち合わせていたとしても初見の楽譜での正確な演奏は困難である。印刷物となっている楽譜のうち、演奏家によって演奏されオーディオとしてコンパクトディスクなどに保存され、市販なされている楽曲は採算の取れる楽曲に限られていることから、音楽の専門家であっても初見の楽曲は多く存在する。つまり、楽譜として出版など印刷までされてはいるが演奏されない楽曲について楽譜と音との両方を同時に入手する方法がなかった。一方、オーディオとして収録されているのは音のみで、演奏されているそのものの音と音符が一致する楽譜の入手は困難であり、音のみの状態からの楽曲の編曲に至っては高度の専門知識が必要となる。
【０００３】
【発明が解決しようとする課題】
本発明により、長い時間をかけて学習や音楽や演奏の修練をすることでしか習得できなかった音楽の専門知識と演奏技術をコンピュータを楽器とすることで、短期間で自由に演奏が行えるようになるとともに、繰り返し演奏が再現でき、編曲も可能になる。これらを一連のプロセスとしてビジネスの方法とすることで、これまでの人が創作した音楽を聞いて楽しむ、自らが楽器を持って演奏を楽しむ、ことからコンピュータを楽器とすることで自らが音を創り出し、演奏を行えるという第３の音楽の楽しみ方、つまり新しい音楽文化環境を創造できることになる。
【０００４】
コンピュータとスキャナを使って、楽譜を読み取り音つき楽譜へと変換する機能を有するソフトウェアは従来から存在していたが、それは多くの機能を搭載したソフトウェアの機能の一部に過ぎず、主体とする機能ではない。
【０００５】
一方、音つき楽譜の生成や提供は専門知識を持った者の入力作業をつうじて行われてはいるが、この「打ち込み」とよばれる人的な入力作業や専門知識を有する人がさまざまな専用の装置やソフトウェアを用いることによって生成していることから、大量に楽曲を生成できず、多額のコストを要することからオーディオと同様採算の取れる楽曲に限られ、幅広いジャンルの楽曲の蓄積や提供が行われていないことに機能の問題があった。
【０００６】
市販されている楽譜を音つき楽譜へと変換するには、楽譜のスキャニングと楽譜の音つき楽譜への変換が必要となるが、原稿と完全に一致する状態で変換できる水準になく、多数の誤認識して変換された箇所の修正が必要となる。またＭＩＤＩデータ形式で再生するためには音つき楽譜に独特の編曲を加える必要がある。
【０００７】
【課題を解決するための手段】
本発明は、印刷された楽譜をもとにした音つき楽譜の生成から蓄積、提供に関連して、個別に独立して存在する機能を一連のプロセスとして関連づけるとともに、プロセス各要点のノウハウを標準化することにビジネスの方法として進歩性がある。
【０００８】
本発明は、パソコンとスキャナを用いて楽譜をビットマップ形式の画像ファイルに変換しソフトウェアでデータを変換してから、実際に音楽として聞けるまでのプロセスの間に、正しく変換が行われなかった誤認識箇所の修正方法を標準化することで専門知識を持たなくても容易に音つき楽譜の生成が可能となり、コンピュータを楽器とした演奏が行えることになる。この標準化が本発明のビジネスの方法が成立の有無を決定づける。
【０００９】
同時に、生成した音つき楽譜を再生するためにはＭＩＤＩデータの再生専用ソフトが必要となるが、音つき楽譜からＭＩＤＩデータ形式への変換が行われることで再生状態に変化が起こり、音つき楽譜で聞いている音楽とは異なるため、音つき楽譜の段階でＭＩＤＩデータとして再生に耐え得るものとして編曲する必要があることからこれについても標準化を行った。
【００１０】
以上２箇所の標準化に加えて、音つき楽譜独特の編曲ノウハウを標準化することによって、わずかな知識を持つだけで楽曲のさまざまな編曲を加えた独自の演奏が可能となる。
【００１１】
本発明は、音つき楽譜を蓄積し、提供することで、これまで採算の取れなかった幅広いジャンルの楽曲についても音つき楽譜の状態での入手が可能となることにビジネスの方法として進歩性がある。これと同時に、使い捨てをしてきたこれまでの音楽環境に歴史的に価値のある楽曲を呼び戻すことができる。
【００１２】
本発明は、音つき楽譜をもとにＭＩＤＩデータを生成する。コンピュータで音楽を再生しながら同時に同一のコンピュータで業務を行う場合、データ容量が小さいためＭＩＤＩデータはコンピュータ動作への負荷が少ないにもかかわらず、高音質の演奏が行える特長を有している。これらの特長を持つＭＩＤＩデータ形式で、幅広いジャンルの楽曲について提供できることにビジネスの方法として進歩性がある。
【００１３】
【発明の実施の形態】
以下、図面に基づいて本発明を実施する形態を説明する。図１は、本発明のビジネスの方法の全体を示した構成図である。
【００１４】
１０１では、演奏したい楽曲の楽譜を入手する。楽譜は印刷されたものが対象となる。その楽譜を１０２でコンピュータとそれに接続されたスキャナを用いてスキャニングを行う。これはスキャナが接続されたすべてのパソコンで行える作業である。
【００１５】
１０３では、１０２でスキャニングされた楽譜がビットマップ形式の画像データに変換された状態を表している。
【００１６】
１０１から１０３までのプロセスは、単純な作業として存在することから多量な楽譜の生成作業を必要とするときには、このプロセスだけを抽出することでパソコンとスキャナを有する個人や小規模団体によるテレワークが可能となることから、そこに新たな雇用創出が期待できる。
【００１７】
１０４では、１０３で変換した画像データを、音つき楽譜へと変換する状態を表している。
【００１８】
１０４で使用するソフトウェアは、音楽の専門知識を有する人の使用を想定に開発されたものである。このことは、本変換機能を搭載したソフトウェアがコンピュータ専門店のなかでも音楽の専門家を対象にした売場を持つ店舗でしか販売されていない事実からも明らかである。
【００１９】
１０４では、音楽の専門家が使用するソフトウェアに搭載されている数多くの機能のなかから、画像データを音つき楽譜へ変換する機能だけを取り出して使用する。
【００２０】
１０４で印刷された楽譜は１０５で音つき楽譜に変換するが、ほとんどの楽譜では印刷されているものとまったく同一の状態で音つき楽譜への変換が行われることはない。多数の誤認識箇所を残した状態でソフトウェアの変換機能が終了してしまうため、この段階では楽譜とよべる状態ではなく、誤認識箇所が残るデータにしかすぎない。
【００２１】
これは、複雑な演奏を必要とする楽曲の楽譜であったり、印刷された楽譜の印刷状態や劣化状態、ＯＣＲ技術固有の課題、ソフトウェア固有の課題などさまざまな事象が複層に重なることが原因となっている。
【００２２】
１０６では、誤認識された箇所が残る音つき楽譜を標準化した方法で印刷された楽譜と同様の状態に修正を行う。この修正ノウハウを標準化することが、これまでにない本発明のビジネスの方法で最大の特徴でもあり、この標準化がなければ新たな大衆音楽文化環境の創造を目的としたこのビジネスの方法の実現ができないほど重要なものである。
【００２３】
１０６で誤認識が修正された音つき楽譜を完成した状態として１０８にファイルとして保存する。一方、完成した音つき楽譜の編曲を行うときは１０９で独自の編曲を加えたうえで再度１０８に保存できる。
【００２４】
１０７は、完成した音つき楽譜に独自の編曲を加えるかどうかの選択肢となる。通常、１０６で誤認識箇所を修正し完成した段階でいったん１０８に基本としての音つき楽譜の保存を行ったうえで、１１０のプロセスを経て１０９の編曲作業を行い、そこで完成した段階で異なる音つき楽譜として改めて１０８に保存することになる。
【００２５】
熟練してくると１０６で誤認識箇所の修正を行ったうえで、引き続き１０９の編曲作業に取り掛かることができる。
【００２６】
１１０では、完成した音つき楽譜で演奏内容の確認や独自の編曲を加えながら演奏を行う人、楽曲を編曲する人などに対して、音つき楽譜を提供するプロセスになる。
【００２７】
印刷されている楽譜では同時に音の入手ができないため、音を知らない楽曲の初見での演奏は困難である。しかし、１１０で音つき楽譜の提供を受けた人は音と楽譜が一致した状態で楽曲を入手できるため容易に楽曲内容が把握できる。
【００２８】
１０１からの手順を経て１０８に保存する楽曲には、楽譜として印刷されてはいるがほとんど演奏されていない楽曲が多数含まれる。本発明では、音と楽譜を一括して保存できるため、これまで創作なされてきたが現在では演奏される機会を失い、埋没してしまった楽曲を音つきで常時再現できる状態で保存できることからも音楽文化を散逸することなく維持できることに意義がある。
【００２９】
１０１で入手する市販楽譜のほとんどは出版時に編曲者による編曲作業が加えられており、原譜は同一の楽曲であっても出版物ごとに編曲が加えられ異なる内容の楽譜になっている。１０８でこれらを個別に把握できる状態にして蓄積することで、同じ楽曲であってもさまざまに編曲された状態で音つき楽譜が提供できることになる。
【００３０】
１１０で音つき楽譜の提供を受けた人は、１０９で独自の編曲を行った音つき楽譜とした後、独自に編曲した楽曲として１０８に保存することができる。
【００３１】
同じ楽曲であっても１０１と１０９の段階で、さまざまに編曲された音つき楽譜が蓄積できることから、これまでにはなかった楽曲の編曲市場が形成できる。編曲作業においてもこれまでの編曲活動では行われてこなかった本発明のビジネスの方法で独特の編曲ノウハウを確立している。
【００３２】
１０６で行う修正手順と１０９で行う編曲作業をその難易度に応じて段階的に標準化することで、これまで音楽の専門家によって創出された楽曲を聞くことで楽しむ受動的な状態から、自らが楽曲を創出する能動的に音楽文化を享受することが可能となる。
【００３３】
１０１から１１０までの手順を音楽教室やパソコン教室、カルチャーセンターなど講座の実施をつうじて拡大することで、これまでの人が創作した音楽を聞いて楽しむ、自らが楽器を持って演奏を楽しむ、ことに次ぐ第３の音楽の楽しみ方、つまり新しい音楽文化環境の創造を図る。
【００３４】
１０９の編曲を行う人が増加するにつれて、楽曲の創出に携わる人口が増加することになり、そのなかから独自の楽曲を創作する人が輩出できるようになるなど、楽曲創作の水準向上が実現する。
【００３５】
１０８に保存された音つき楽譜をもとに音だけを抽出保存し、蓄積したのが１１２のＭＩＤＩデータである。
【００３６】
１１０のＭＩＤＩデータはオーディオと異なり、演奏者や演奏場所、収録機器など収録状態に左右されないことから安定的に高品質な音で提供可能となる。音楽の演奏家などが自身の公演活動で用いられていることからも、高音質の提供が可能であることを示している。
【００３７】
１１２のＭＩＤＩデータは再生専用ソフトで再生することになるため、１０８の音つき楽譜からＭＩＤＩデータ形式への変換が必要となるが、これによって１０８と１１２の音質が変わってしまうことから、別にＭＩＤＩデータの再生専用ソフトによる再生に耐え得る音質状態とするための編曲方法の標準化を行っている。
【００３８】
提供したい音質状態でのＭＩＤＩデータを生成するためには、複数回の１１１から１０９へのモニタリング作業が必要となるが、この編曲の標準化を行うことでそれを大幅に減少することが可能となる。この習得についても講座のカリキュラムに必須の要件として組み込んでいる。
【００３９】
１１２のＭＩＤＩデータの容量は約７００メガバイトの容量のコンパクトディクスに保存され市販されているオーディオを変換し、同程度の音質を持つＷＡＶＥファイルと比較しても格段に小さく、１．４４メガバイト程度の容量のフレキシブルディスクですら数十曲、数時間の再生が可能となるデータが保存できる。
【００４０】
１１３は、１１２のＭＩＤＩデータを指定に応じて提供するプロセスである。
【００４１】
ＭＩＤＩデータの特長として、１台のコンピュータで音楽を再生しながら同時に業務を行う場合、従来のＷＡＶＥファイルなどではファイルサイズが大きいため、コンピュータへの付加が大きかったが、１１３で提供するＭＩＤＩデータは格段に容量が小さいためコンピュータ動作への負荷が少なく、高音質の状態で幅広いジャンルの楽曲について容易に提供できる。
【００４２】
ＷＡＶＥファイルのおおむね１０分の１にまでデータ容量を圧縮するＭＰＥＧ３、いわゆるＭＰ３形式はオーディオの保存形式として一般化してきてはいるが、ほとんどの楽曲ではフレキシブルディスクに１曲分のデータが保存できないにもかかわらず、ＷＡＶＥファイルからデータの圧縮を行っていることから音質の劣化は避けられない。
【００４３】
【実施例】以下に本発明の実施例を説明する。
【００４４】
【実施例１】
兵庫県教育委員会から県下すべての県立高等学校校歌の楽譜を受領し、本発明でＭＩＤＩデータを生成する。これを県下図書館のコンピュータに設置することで、来館者に対して自由に提供できる。
この手段によれば、たとえ廃校となった学校であっても卒業生などにとって有価値の校歌の楽曲が失われることなく、自由に聞くことができる。
【００４５】
【発明の効果】
以上、詳細に説明したとおり、好きな楽曲の楽譜があれば、音楽の専門知識や演奏技術を持たなくてもコンピュータで自由に演奏や編集ができ、それを提供できるといった、新たな音楽文化環境が創造できる。これにより、楽譜として出版されてはいるが演奏されない楽曲についても多様性な楽譜と演奏との両方を同時に入手することが可能となる。一方、低容量で提供できるＭＩＤＩデータは高音質であるにもかかわらず、コンピュータ動作にほとんど付加をかけることがないので同時に業務を行うことが可能となる。
【図面の簡単な説明】
【図１】本発明のビジネスの方法を示したフローチャートである。
【符号の説明】
１０１・・演奏したい楽曲の楽譜
１０２・・楽譜のスキャニング
１０３・・ビットマップ形式ファイルの楽譜
１０４・・データ変換
１０５・・誤認識箇所が残る状態のデータ
１０６・・誤認識箇所の修正
１０７・・編曲の有無の確認
１０８・・音つき楽譜のデータ
１０９・・音つき楽譜の編曲
１１０・・音つき楽譜の提供
１１１・・音つき楽譜をＭＩＤＩデータとして保存するか確認
１１２・・音つき楽譜をもとに生成したＭＩＤＩデータ
１１３・・ＭＩＤＩデータの提供
【図１】
2004133278.tif 000003